【手続補正書】
【提出日】平成15年8月13日(2003.8.13)
【手続補正１】
【補正対象書類名】明細書
【補正対象項目名】発明の名称
【補正方法】変更
【補正の内容】
【発明の名称】電子会議システム、情報処理装置、記録媒体、電子会議方法及び情報処理方法
【手続補正２】
【補正対象書類名】明細書
【補正対象項目名】特許請求の範囲
【補正方法】変更
【補正の内容】
【特許請求の範囲】
【請求項１】
サーバが提供する仮想空間に複数のクライアントがアクセスし、相互に情報を交換する電子会議システムにおいて、
前記サーバは、
前記クライアントとの間で情報を授受する第１の通信手段と、
前記第１の通信手段により、前記クライアントから伝送されてきた情報が受信された場合には、その情報を解析する第１の解析手段と、
前記第１の解析手段による解析の結果、前記情報が前記仮想空間に対して書き込むべき新たな情報である場合には、その情報に含まれている属性を抽出する第１の属性抽出手段と、
前記第１の属性抽出手段によって抽出された属性と、前記情報とを関連付けて記憶する第１の記憶手段と、
前記第１の記憶手段に記憶されている情報を管理するとともに、前記第１の解析手段の解析の結果、前記情報が前記第１の記憶手段に記憶されている情報を参照することを要求する情報である場合には、該当する情報を抽出して前記第１の通信手段に供給し、前記クライアントに返送させる情報管理手段と、を有し、
前記クライアントは、
前記サーバとの間で情報を授受する第２の通信手段と、
所定の情報の入力を受ける入力手段と、
前記第２の通信手段により受信された前記サーバから伝送されてきた情報、または、前記入力手段より入力された情報を解析する第２の解析手段と、
前記第２の解析手段による解析の結果、表示出力すべき情報である場合には、その情報に含まれている属性を抽出する第２の属性抽出手段と、
前記第２の属性抽出手段によって抽出された属性を記憶する第２の記憶手段と、
前記第２の記憶手段に記憶されている属性から所定の属性を選択する選択手段と、
前記選択手段によって選択された属性に応じた表示形式により、前記仮想空間に書き込まれた情報に係る要素を表示させる表示手段と、を有することを特徴とする電子会議システム。
【請求項２】
前記表示手段は、前記選択手段による選択結果に応じて、１次元乃至３次元空間の何れかを表示対象空間として選定し、選定した前記表示対象空間内に前記情報に係る要素を表示させることを特徴とする請求項１記載の電子会議システム。
【請求項３】
前記表示手段は、前記選択手段による選択結果によって３次元空間が選定された場合には、所定の属性に対応する１軸と、その他の属性に対応する平面とを用いて、前記情報に係る要素を表示させることを特徴とする請求項２記載の電子会議システム。
【請求項４】
前記表示手段は、前記表示対象空間の１つの軸に複数の属性を対応させ、前記情報に係る要素を表示させることを特徴とする請求項２記載の電子会議システム。
【請求項５】
前記表示対象空間の１軸は、時間に関する属性に対応付けられていることを特徴とする請求項２記載の電子会議システム。
【請求項６】
前記表示手段は、前記選択手段によって前記情報の内容に関する属性が選択された場合には、前記情報に含まれているキーワードに関する情報を前記情報に係る要素として表示させることを特徴とする請求項１記載の電子会議システム。
【請求項７】
前記表示手段は、出現頻度に応じて前記キーワードを適宜選択して表示させることを特徴とする請求項６記載の電子会議システム。
【請求項８】
前記表示手段は、前記仮想空間に書き込まれた情報のうち、最新の情報に含まれているキーワードに関する情報を前記情報に係る要素として表示させることを特徴とする請求項１記載の電子会議システム。
【請求項９】
前記表示手段は、前記仮想空間に書き込まれた情報のうち、ユーザが指定した情報に含まれているキーワードに関する情報を前記情報に係る要素として表示させることを特徴とする請求項１記載の電子会議システム。
【請求項１０】
前記表示手段は、前記仮想空間に書き込まれた情報のうち、ユーザが指定したキーワードに関する情報を前記情報に係る要素として表示させることを特徴とする請求項１記載の電子会議システム。
【請求項１１】
前記表示手段は、前記選択手段によって選択された属性に対応する属性値を有する情報に係る要素のみを表示させることを特徴とする請求項１記載の電子会議システム。
【請求項１２】
前記表示手段は、前記選択手段によって選択された属性に対応する属性値を所定数以上含む情報に係る要素のみを表示させることを特徴とする請求項１記載の電子会議システム。
【請求項１３】
前記表示手段は、前記選択手段によって選択された属性に対応する属性値を含む情報に係る要素のみを表示させるとともに、その出現頻度に応じてその表示形態を変更することを特徴とする請求項１記載の電子会議システム。
【請求項１４】
前記入力手段から所定の情報が入力され、前記表示手段によって表示された所定の情報に係る要素が選択された場合には、その情報の詳細を更に表示させることを特徴とする請求項１記載の電子会議システム。
【請求項１５】
前記入力手段から所定の情報が入力され、所定の情報に係る要素が選択された場合には、その情報が有する属性値と同一の属性値を有する他の情報に係る要素を選択表示させることを特徴とする請求項１記載の電子会議システム。
【請求項１６】
サーバが提供する仮想空間にアクセスして情報を交換するクライアントとしての情報処理装置において、
前記サーバとの間で情報を授受する通信手段と、
所定の情報の入力を受ける入力手段と、
前記通信手段により受信された前記サーバから伝送されてきた情報、または、前記入力手段より入力された情報を解析する解析手段と、
前記解析手段による解析の結果、表示出力すべき情報である場合には、その情報に含まれている属性を抽出する属性抽出手段と、
前記属性抽出手段によって抽出された属性を記憶する記憶手段と、
前記記憶手段に記憶されている属性から所定の属性を選択する選択手段と、
前記選択手段によって選択された属性に応じた表示形式により、前記仮想空間に書き込まれた情報に係る要素を表示させる表示手段と、
を有することを特徴とする情報処理装置。
【請求項１７】
サーバが提供する仮想空間にアクセスして情報を交換する処理を実行するプログラムを記録したコンピュータ読み取り可能な記録媒体において、
コンピュータを、
前記サーバとの間で情報を授受する通信手段、
所定の情報の入力を受ける入力手段、
前記通信手段により受信された前記サーバから伝送されてきた情報、または、前記入力手段より入力された情報を解析する解析手段、
前記解析手段による解析の結果、表示出力すべき情報である場合には、その情報に含まれている属性を抽出する属性抽出手段、
前記属性抽出手段によって抽出された属性を記憶する記憶手段、
前記記憶手段に記憶されている属性から所定の属性を選択する選択手段、
前記選択手段によって選択された属性に応じた表示形式により、前記仮想空間に書き込まれた情報に係る要素を表示させる表示手段、
として機能させるプログラムを記録したコンピュータ読み取り可能な記録媒体。
【請求項１８】
サーバが提供する仮想空間に複数のクライアントがアクセスし、相互に情報を交換する電子会議方法において、
前記サーバに対しては、
前記クライアントとの間で情報を授受し、
前記クライアントから伝送されてきた情報が受信された場合には、情報を解析し、
解析の結果、前記情報が前記仮想空間に対して書き込むべき新たな情報である場合には、情報に含まれている属性を抽出し、
抽出された属性と、前記情報とを関連付けて記憶し、
記憶されている情報を管理するとともに、解析の結果、前記情報が、前記記憶されている情報を参照することを要求する情報である場合には、該当する情報を抽出して、前記クライアントに返送させ、
前記クライアントに対しては、
前記サーバとの間で情報を授受し、
所定の情報の入力を受け、
受信された前記サーバから伝送されてきた情報、または入力された情報を解析し、
解析の結果、表示出力すべき情報である場合には、情報に含まれている属性を抽出し、
抽出された前記属性を記憶し、
記憶されている前記属性から所定の属性を選択し、
選択された前記属性に応じた表示形式により、前記仮想空間に書き込まれた情報に係る要素を表示させることを特徴とする電子会議方法。
【請求項１９】
サーバが提供する仮想空間にアクセスして情報を交換する情報処理方法において、
前記サーバとの間で情報を授受し、
所定の情報の入力を受け、
受信された前記サーバから伝送されてきた情報、または入力された情報を解析し、
解析の結果、表示出力すべき情報である場合には、情報に含まれている属性を抽出し、
抽出された前記属性を記憶し、
記憶されている前記属性から所定の属性を選択し、
選択された前記属性に応じた表示形式により、前記仮想空間に書き込まれた情報に係る要素を表示させることを特徴とする情報処理方法。
【手続補正３】
【補正対象書類名】明細書
【補正対象項目名】００４７
【補正方法】変更
【補正の内容】
【００４７】
なお、図３に示すリクエストは、処理依頼情報２０ａ、発信元情報２０ｂ、送信先情報２０ｃ、発言情報２０ｄ、会議情報ＩＤ２０ｅ、属性情報２０ｆ、共有表示情報２０ｇ、個別表示情報２０ｈ、および、更新情報２０ｉによって構成されている。ここで、処理依頼情報２０ａは、送信先に対して依頼する処理の内容を示す情報である。発信元情報２０ｂおよび送信先情報２０ｃは、それぞれ、リクエストの発信先と発信元を示す情報である。発言情報２０ｄは、図２に示す発言入力領域１０ｃに対して入力された情報である。会議情報ＩＤ２０ｅは、発言情報を特定するための情報である。属性情報２０ｆは、発言情報に関する属性である。共有表示情報２０ｇは、図２に示す共有情報表示領域１０ａに表示する情報である。個別表示情報２０ｈは、図２に示す個別情報表示領域１０ｂに表示する情報である。更新情報２０ｉは、更新する表示内容に関する情報である。クライアント３から送信されたリクエストは、サーバ１の第１の通信手段１ａを介して第１の解析手段１ｂに供給される。第１の解析手段１ｂはリクエストから処理依頼情報２０ａを抽出し、そのリクエストが参加登録依頼であることを認知する。


【手続補正４】
【補正対象書類名】明細書
【補正対象項目名】００５０
【補正方法】変更
【補正の内容】
【００５０】
サーバ１の第１の通信手段１ａは、情報管理手段１ｄから供給された共有情報表示依頼、発信元、および、送信先をそれぞれ示す情報をリクエストの処理依頼情報２０ａ、発信元情報２０ｂ、および、送信先情報２０ｃに格納し、また、会議情報の表題と受信時刻およびそれに対応した各会議情報ＩＤとを共有表示情報２０ｇに、更に、属性名群を属性情報２０ｆにそれぞれ格納してクライアント３に送信する。


【手続補正５】
【補正対象書類名】明細書
【補正対象項目名】００９４
【補正方法】変更
【補正の内容】
【００９４】
以上のようにして、個別情報表示領域１０ｂに表示される俯瞰情報の各座標軸を設定することが可能となる。
また、本実施の形態では、ユーザが選択した属性名を軸とした空間上に各属性値の交わり（該当する発言情報）が出現した場合に所定の画像を表示する「出現関係表示」と、出現関係表示に出現頻度の要素を更に加え、出現頻度に応じて表示形態（例えば、表示色）を変更する「出現頻度表示」の２種類の表示方法が用意されている。これらの表示形式を変更するには、図２０に示すように、メニュー５０において、俯瞰条件入力５０ａを選択し、サブメニューで表示条件５２ｂを選択すると、出現関係５４ａと出現頻度５４ｂとが表示されるので、これらの何れかを選択すればよい。


【手続補正６】
【補正対象書類名】明細書
【補正対象項目名】００９６
【補正方法】変更
【補正の内容】
【００９６】
このとき、ユーザによって選択された属性名（発言者、受信時刻、および、発言内容）は、会議情報抽出処理依頼とともに第２の通信手段３ａに供給される。第２の通信手段３ａは、ユーザが選択した発言者、受信時刻、発言内容を属性情報２０ｆに格納し、また、会議情報抽出処理依頼を処理依頼情報２０ａに格納し、更に、発信元情報２０ｂと送信先情報２０ｃを付加して生成したリクエストをサーバ１に送信する。


【手続補正７】
【補正対象書類名】明細書
【補正対象項目名】０１３１
【補正方法】変更
【補正の内容】
【０１３１】
次に、図３５を参照して、図３０のステップＳ２９に示す「属性リスト編集処理」の詳細について説明する。このフローチャートが開始されると、以下の処理が実行されることになる。
［Ｓ８０］表示手段３ｇは、第２の記憶手段３ｅから属性リストを読み出し、属性名一覧リストとして表示装置５に表示させる。
［Ｓ８１］表示手段３ｇは、図９に示すようなメニューを表示させ、新規属性名の入力を受ける。そして、入力された新規属性名に応じて、属性名一覧リストを更新する。
［Ｓ８２］第２の解析手段３ｃは、ステップＳ８１において更新された属性名を第２の記憶手段３ｅに供給し、属性リストを更新させる。そして、元の処理に復帰（リターン）する。